(57)【要約】【課題】電子レジスタにおける注文登録の操作を容易化する。【解決手段】電子レジスタは、テンキー２４０から登録された顧客の人数を客数表示領域２１０に表示する。電子レジスタは、商品表示領域にある商品のボタンを用いて登録された商品を伝票表示領域２３０に表示する。伝票表示領域２３０に表示された個数が指定されると、電子レジスタは、テンキーパッド２７０を表示する。人数分ボタン２７３が指定されると、電子レジスタは、登録された顧客の人数分の商品数を登録する。【選択図】図９
2020098434.tif 000002
【特許請求の範囲】
【請求項１】
一取引に係る顧客の人数を登録する人数登録手段と、
顧客により注文された商品を登録する商品登録手段と、
前記商品登録手段により登録された商品について所定の注文数を入力するボタンであって、前記人数登録手段により登録された顧客の人数と同じ数が前記所定の注文数として設定される人数分ボタンを表示部に表示させる表示制御手段と、
を備えることを特徴とする注文登録装置。
【請求項２】
一取引に係る顧客の人数を登録する人数登録手段と、
顧客により注文された商品を登録する商品登録手段と、
前記商品登録手段により登録された商品の注文数を入力するための個数入力ボタンを表示部に表示させる表示制御手段と、
を備え、
前記表示制御手段は、前記人数登録手段により顧客の人数が登録された際には、前記個数入力ボタンとして、当該顧客の人数と同じ数を前記商品の注文数として入力するための人数分ボタンを表示させる、
ことを特徴とする注文登録装置。
【請求項３】
前記表示制御手段は、前記人数登録手段により顧客の人数が登録されていない際には操作不可の空ボタンを表示させる一方で、前記人数登録手段により顧客の人数が登録された際には前記空ボタンに替えて前記人数分ボタンを表示させる、
ことを特徴とする請求項１または２に記載の注文登録装置。
【請求項４】
前記表示制御手段は、前記空ボタンと対応付けて、前記人数登録手段により顧客の人数が登録されたならば当該空ボタンが前記人数分ボタンに切り替わる旨を明示する情報を表示させる、
ことを特徴とする請求項３に記載の注文登録装置。
【請求項５】
前記表示制御手段は、前記人数登録手段により顧客の人数が登録されていない際には当該顧客の人数を登録するための人数登録ボタンを表示させる一方で、前記人数登録手段により顧客の人数が登録された際には前記人数登録ボタンに替えて前記人数分ボタンを表示させる、
ことを特徴とする請求項１または２に記載の注文登録装置。
【請求項６】
前記表示制御手段は、予め定められた数値を入力可能な定数入力ボタンを表示させるとともに、前記人数分ボタンを当該定数入力ボタンと並べて表示させる、
ことを特徴とする請求項１から５の何れか一項に記載の注文登録装置。
【請求項７】
前記人数登録手段は、一取引に係る顧客の人数を少なくとも２以上のグループに分類して登録し、
前記表示制御手段は、前記グループの各々に係る前記人数分ボタンを表示させる、
ことを特徴とする請求項１から６の何れか一項に記載の注文登録装置。
【請求項８】
前記人数登録手段は、前記顧客の識別情報および人数を含む予約情報を記憶するコンピュータから、前記顧客の人数を取得して登録する、
ことを特徴とする請求項１から７の何れか一項に記載の注文登録装置。
【請求項９】
前記人数登録手段は、前記商品登録手段により特定商品が登録された際に、当該特定商品の注文数を前記顧客の人数として登録する、
ことを特徴とする請求項１から８の何れか一項に記載の注文登録装置。
【請求項１０】
一取引に係る顧客の人数を登録する人数登録手段と、
顧客により注文された商品を登録する商品登録手段と、
前記商品登録手段により登録された商品の注文数を所定の数値入力操作を受け付けることにより登録する注文数登録手段と、
を備え、
前記注文数登録手段は、前記数値入力操作とは異なる特定入力操作を受け付けた際に、前記人数登録手段により登録された顧客の人数と同じ数を前記商品の注文数として登録する、
ことを特徴とする注文登録装置。
【請求項１１】
コンピュータを、
一取引に係る顧客の人数を登録する人数登録手段、
顧客により注文された商品を登録する商品登録手段、
前記商品登録手段により登録された商品について所定の注文数を入力するボタンであって、前記人数登録手段により登録された顧客の人数と同じ数が前記所定の注文数として設定される人数分ボタンを表示部に表示させる表示制御手段、
として機能させることを特徴とするプログラム。
【請求項１２】
コンピュータを、
一取引に係る顧客の人数を登録する人数登録手段、
顧客により注文された商品を登録する商品登録手段、
前記商品登録手段により登録された商品の注文数を入力するための個数入力ボタンを表示部に表示させる表示制御手段、
として機能させ、
前記表示制御手段は、前記人数登録手段により顧客の人数が登録された際には、前記個数入力ボタンとして、当該顧客の人数と同じ数を前記商品の注文数として入力するための人数分ボタンを表示させる、
ことを特徴とするプログラム。
【請求項１３】
コンピュータを、
一取引に係る顧客の人数を登録する人数登録手段、
顧客により注文された商品を登録する商品登録手段、
前記商品登録手段により登録された商品の注文数を所定の数値入力操作を受け付けることにより登録する注文数登録手段、
として機能させ、
前記注文数登録手段は、前記数値入力操作とは異なる特定入力操作を受け付けた際に、前記人数登録手段により登録された顧客の人数と同じ数を前記商品の注文数として登録する、
ことを特徴とするプログラム。
【発明の詳細な説明】
【技術分野】
【０００１】
本発明は、注文登録装置およびプログラムに関する。
【背景技術】
【０００２】
注文登録装置（電子レジスタ、ＯＥＳ（Order Entry System）端末）に顧客の注文を登録する際には、利用者（店員）は、顧客の人数やテーブル番号、商品、個数（商品数、注文数）を登録する。例えば、特許文献１には、顧客の初期情報として顧客の人数を登録することが記載されている。
【０００３】
注文された商品と個数を登録する手順としては、商品に対応するボタンをタップして、その後にテンキーを用いて個数を登録する手順やプラスボタン（「＋」ボタン）とマイナスボタン（「−」ボタン）とをタップして個数を加減する手順、商品のボタンを個数分繰り返しタップする手順が一般的である。
【先行技術文献】
【特許文献】
【０００４】
【特許文献１】特開２０１３−１３７８４０号公報
【発明の概要】
【発明が解決しようとする課題】
【０００５】
飲食店においては、飲料やお通しなどを人数分注文する場合が多い。この場合、従来技術では、客の人数を確認した上で、その数をテンキーで入力したり、ボタンを繰り返しタップしたりする必要がある。このために、顧客の人数を誤認して誤った個数（注文数）を登録する可能性が生じる。また、商品のボタンやプラスボタンを顧客の人数分繰り返しタップするのは、操作が面倒な上、顧客を待たせてしまいサービスの品質が低下してしまうという問題も生じる。
【０００６】
本発明は、このような背景を鑑みてなされたのであり、注文登録の操作を容易化する注文登録装置およびプログラムを提供することを課題とする。
【課題を解決するための手段】
【０００７】
前記した課題を解決するため、請求項１に記載の注文登録装置は、一取引に係る顧客の人数を登録する人数登録手段と、顧客により注文された商品を登録する商品登録手段と、前記商品登録手段により登録された商品について所定の注文数を入力するボタンであって、前記人数登録手段により登録された顧客の人数と同じ数が前記所定の注文数として設定される人数分ボタンを表示部に表示させる表示制御手段と、を備えることを特徴とする。
【発明の効果】
【０００８】
本発明によれば、注文登録の操作を容易化する注文登録装置およびプログラムを提供することができる。
【図面の簡単な説明】
【０００９】
【図１】本実施形態に係る電子レジスタの全体構成を示す機能ブロック図である。
【図２】本実施形態に係る据え置き型の電子レジスタの外観図である。
【図３】本実施形態に係る利用者が電子レジスタに対して実行する注文登録手順を示すフローチャートである。
【図４】本実施形態に係る電子レジスタが客数および注文を登録する処理のフローチャートである。
【図５】本実施形態に係る電子レジスタの売上登録画面の初期画面を示す図である。
【図６】本実施形態に係る客数受け付け時の電子レジスタの画面を示す図である。
【図７】本実施形態に係る客数登録後の電子レジスタの画面を示す図である。
【図８】本実施形態に係る注文登録後の電子レジスタの画面を示す図である。
【図９】本実施形態に係るテンキーパッドが表示された電子レジスタの画面を示す図である。
【図１０】本実施形態に係る人数分ボタン選択後の電子レジスタの画面を示す図である。
【図１１】本実施形態の変形例１に係るテンキーパッドを示す図である。
【図１２】本実施形態の変形例２に係る売上登録画面を示す図である。
【図１３】本実施形態の変形例３に係る売上登録画面を示す図である。
【図１４】本実施形態の変形例４に係る売上登録画面を示す図である。
【図１５】本実施形態の変形例４に係る商品メニューが表示された売上登録画面を示す図である。
【図１６】本実施形態の変形例４に係る商品選択後の売上登録画面を示す図である。
【図１７】本実施形態の変形例５に係るテンキーパッドを示す図である。
【図１８】本実施形態の変形例６に係る売上登録画面を示す図である。
【図１９】本実施形態の変形例７に係る電子レジスタを含む注文登録システムの全体構成を示す図である。
【図２０】本実施形態の変形例７に係る予約情報画面の画面構成図である。
【図２１】本実施形態の変形例８に係る個数登録処理のフローチャートである。
【発明を実施するための形態】
【００１０】
≪電子レジスタの全体構成≫
以下に、本発明を実施するための形態（実施形態）における注文登録装置としての電子レジスタ（売上データ処理装置）について説明する。本実施形態に係る電子レジスタは、人数分ボタンを備え、利用者が人数分ボタンをタップすることで、顧客の人数分の商品を注文することができることを特徴とする。また、本発明の実施形態は電子レジスタに限らず、ＯＥＳ端末（注文登録装置、注文登録端末）であってもよい。
【００１１】
電子レジスタやＯＥＳ端末は、専用装置とは限らない。以下に説明する注文登録処理（図４参照）を実行するプログラムがインストールされたスマートフォンやタブレット端末などのコンピュータであってもよい。なお、利用者として店員を前提としているが、顧客自身が電子レジスタを操作してもよい。
【００１２】
図１は、本実施形態に係る電子レジスタ１００の全体構成を示す機能ブロック図である。電子レジスタ１００は、ＣＰＵ（Central Processing Unit）１１０、記憶部１２０、タッチパネルディスプレイ１３０、通信部１４０およびマイク１５０を含んで構成される。
ＣＰＵ１１０は、記憶部１２０に記憶される電子レジスタプログラム１２９を実行することで、後記する図４に示す注文登録処理を実行する。
【００１３】
記憶部１２０は、ＲＡＭ（Random Access Memory）１２１、ＲＯＭ（Read Only Memory）１２２およびフラッシュメモリ１２３を含んで構成され、注文登録処理を実行する電子レジスタプログラム１２９や注文登録処理の実行に必要なデータを記憶する。
タッチパネルディスプレイ１３０は、売上登録画面（後記する図５参照）を表示し、利用者の操作を受け付ける。
通信部１４０は、電子レジスタ１００とは異なるコンピュータと通信データを送受信する。
マイク１５０には、操作を指示する（注文する）利用者の音声が入力される。
【００１４】
図２は、本実施形態に係る据え置き型の電子レジスタ１００Ｚの外観図である。電子レジスタ１００は、スマートフォンやタブレット端末のような携帯型の装置に限らず、図２に示すような据え置き型の装置であってもよい。
【００１５】
≪注文登録手順≫
図３は、本実施形態に係る利用者が電子レジスタ１００に対して実行する注文登録手順（売上登録手順、商品登録手順）を示すフローチャートである。
ステップＳ１０１において利用者は、テーブル番号と客数とを登録する。
ステップＳ１０２において利用者は、注文を登録する。注文を登録する際には、利用者は、注文された商品を登録して、続いて個数（注文数、商品数）を登録する。
客数および注文の登録の詳細な説明は、後述する図４〜図１０を用いて詳細に説明する。
【００１６】
≪電子レジスタの処理≫
図４は、本実施形態に係る電子レジスタ１００が客数および注文を登録する処理のフローチャートである。図４および図５〜図１０の電子レジスタ１００の画面を参照しながら、飲食店におけるテーブル番号登録処理、客数登録処理および注文登録処理（売上登録処理、商品登録処理）を説明する。
【００１７】
≪売上登録画面≫
図５は、本実施形態に係る電子レジスタ１００の売上登録画面（注文登録画面）２００の初期画面を示す図である。図５を参照しながら、売上登録画面２００の画面構成を説明する。
売上登録画面２００の上部にはタイトル表示領域２０１が配置される。タイトル表示領域２０１には、電子レジスタ１００の利用者名、画面タイトルおよび日時が表示される。
【００１８】
客数表示領域２１０には、顧客の人数が表示される。
テーブル番号表示領域２１１には、顧客が着席しているテーブルの識別情報（テーブル番号）が表示される。
合計金額表示領域２２０には、注文されて登録された商品の合計金額が表示される。
伝票表示領域２３０には、登録された商品の名称、個数および金額の一覧が表示される。
テンキー２４０は、数値を入力するボタンである。
【００１９】
商品表示領域２５０は、商品の一覧が表示される領域であって、各商品を注文として登録するためのボタンが配置される。図５では、後記する商品カテゴリ表示領域２６０のなかの「ＭＥＮＵ１」が選択されており、商品表示領域２５０には、「ＭＥＮＵ１」に属する商品の一覧が表示されている。商品表示領域２５０にある商品のボタンがタップされると、タップされた商品が個数１として登録され、伝票表示領域２３０に表示される。
【００２０】
商品カテゴリ表示領域２６０は、商品カテゴリ（部門）の一覧であって、商品カテゴリのボタンが配置される。利用者が、注文された商品が属するカテゴリのボタンをタップすると、商品表示領域２５０にタップされたカテゴリの商品が表示される。
マイクボタン２６１は、音声入力による注文登録の開始を指示するボタンである。マイクボタン２６１がタップされると、マイク１５０から入力された音声により注文登録が可能となる。
【００２１】
≪テーブル番号と客数との登録処理≫
図４に戻って、ステップＳ１１１においてＣＰＵ１１０は、利用者の操作を受け付け、受け付けた操作に応じて、ステップＳ１１２，Ｓ１１４，Ｓ１１６，Ｓ１１７，Ｓ１１８，Ｓ１２１またはＳ１２２に進む。
詳しくは、ＣＰＵ１１０は、ステップＳ１１１で受け付けた操作が、テーブル番号表示領域２１１がタップされる操作ならば（ステップＳ１１１→テーブル番号のタップ）ステップＳ１１２に進む。
ＣＰＵ１１０は、ステップＳ１１１で受け付けた操作が、客数表示領域２１０がタップされる操作ならば（ステップＳ１１１→客数のタップ）ステップＳ１１４に進む。
【００２２】
ＣＰＵ１１０は、ステップＳ１１１で受け付けた操作が、商品カテゴリ表示領域２６０の「ＭＥＮＵ１」〜「ＭＥＮＵ７」のボタンがタップされる操作ならば（ステップＳ１１１→商品カテゴリのタップ）ステップＳ１１６に進む。
ＣＰＵ１１０は、ステップＳ１１１で受け付けた操作が、商品表示領域２５０のボタンがタップされる操作ならば（ステップＳ１１１→商品のタップ）ステップＳ１１７に進む。
ＣＰＵ１１０は、ステップＳ１１１で受け付けた操作が、伝票表示領域２３０に表示されている商品の個数がタップされる操作ならば（ステップＳ１１１→個数のタップ）ステップＳ１１８に進む。
【００２３】
ＣＰＵ１１０は、ステップＳ１１１で受け付けた操作が、商品表示領域２５０のボタンがフリックまたはダブルタップされる操作ならば（ステップＳ１１１→商品のフリックまたはダブルタップ）ステップＳ１２１に進む。
ＣＰＵ１１０は、ステップＳ１１１で受け付けた操作が、商品カテゴリ表示領域２６０のマイクボタン２６１がタップされる操作ならば（ステップＳ１１１→マイクのタップ）ステップＳ１２２に進む。
【００２４】
ステップＳ１１２においてＣＰＵ１１０は、テーブル番号を受け付ける。詳しくは、テーブル番号表示領域２１１がタップされ、テンキー２４０のテーブル番号の数値ボタンと「戻」ボタンとがタップされると、ＣＰＵ１１０は、これを検出してテーブル番号を受け付ける。
ステップＳ１１３においてＣＰＵ１１０は、入力されたテーブル番号を記憶部１２０に記憶し、テーブル番号表示領域２１１に表示する。
【００２５】
ステップＳ１１４においてＣＰＵ１１０は、客数を受け付ける。
図６は、本実施形態に係る客数受け付け時の電子レジスタ１００の画面を示す図である。利用者が客数表示領域２１０をタップすると、カーソル２１２が表示される。利用者は、テンキー２４０を用いて客数を入力して、「戻」ボタンをタップする。以下では、客数が８人として、利用者が「８」ボタン、「戻」ボタンをタップしたとして説明を続ける。
【００２６】
図４に戻って、ステップＳ１１５においてＣＰＵ１１０は、入力された客数を記憶部１２０に記憶し、客数表示領域２１０に表示する。
図７は、本実施形態に係る客数登録後の電子レジスタ１００の画面を示す図である。客数表示領域２１０には、客数として８が表示されている。
【００２７】
≪注文登録処理：商品選択処理≫
図４に戻ってステップＳ１１６においてＣＰＵ１１０は、タップされて選択された「ＭＥＮＵ１」〜「ＭＥＮＵ７」の何れかの商品カテゴリに属する商品を商品表示領域２５０に表示する。図７においては、「ＭＥＮＵ１」が選択されて、「大ジョッキ」や「中ジョッキ」などのアルコール飲料の商品が表示されている。
【００２８】
図４に戻ってステップＳ１１７においてＣＰＵ１１０は、タップされて選択された（注文された）商品を個数（注文数）１として登録し、伝票表示領域２３０に表示する。
図８は、本実施形態に係る注文登録後の電子レジスタ１００の画面を示す図である。伝票表示領域２３０には、商品表示領域２５０でタップされた商品である「大ジョッキ」が個数の「１」および金額の「９００」とともに登録されて表示されている。商品表示領域２５０で商品がタップされたときには、個数は１として登録される。
【００２９】
≪注文登録処理：個数登録処理≫
図４に戻ってステップＳ１１８においてＣＰＵ１１０は、テンキーパッド２７０（後記する図９参照）を表示する。
図９は、本実施形態に係るテンキーパッド２７０が表示された電子レジスタ１００の画面を示す図である。伝票表示領域２３０に表示された「大ジョッキ」の個数「１」がタップされると、ＣＰＵ１１０は、テンキーパッド２７０を表示する。テンキーパッド２７０は、個数表示領域２７１、「０」〜「９」の数字キーの他に、ＯＫボタン２７２や人数分ボタン２７３を備える。図９に記載の個数表示領域２７１には、現在の個数である「１」が表示されている。
【００３０】
図４に戻って、ステップＳ１１９においてＣＰＵ１１０は、テンキーパッド２７０から入力された個数を受け付ける。
例えば、注文個数が４ならば、利用者はテンキーパッド２７０の「４」ボタンとＯＫボタン２７２をタップする。また、注文が人数分（図９では客数表示領域２１０に示されるように８人分）ならば、利用者は人数分ボタン２７３とＯＫボタン２７２をタップする。ＣＰＵ１１０は、個数として、入力された数値または人数分を受け付けて、テンキーパッド２７０を閉じる。なお、ＣＰＵ１１０は、人数分ボタン２７３がタップされると、ＯＫボタン２７２のタップなしに人数分を受け付けて、テンキーパッド２７０を閉じてもよい。
【００３１】
ステップＳ１２０においてＣＰＵ１１０は、ステップＳ１１９で受け付けた数値または人数分の個数を注文数として登録し、伝票表示領域２３０に表示する。人数分を受け付けた場合には、客数表示領域２１０に示される人数（ステップＳ１１４〜Ｓ１１５参照）を注文数として登録して表示する。以下では、人数分ボタン２７３とＯＫボタン２７２とがタップされたとして説明を続ける。
図１０は、本実施形態に係る人数分ボタン２７３選択後の電子レジスタ１００の画面を示す図である。伝票表示領域２３０に表示された「大ジョッキ」の個数が、人数分である「８」に変化している。
【００３２】
≪注文登録処理：商品ボタンのフリックまたはダブルタップ≫
図４に戻って、ステップＳ１２１においてＣＰＵ１１０は、フリックまたはダブルタップされたボタンの商品について、個数は人数分として当該商品を登録し、伝票表示領域２３０に表示する。例えば、図７の画面において、「大ジョッキ」のボタンがダブルタップまたはフリックされると、「大ジョッキ」が人数分の個数８で登録され、図１０の画面に遷移する。
【００３３】
≪注文登録処理：音声入力≫
ステップＳ１２２においてＣＰＵ１１０は、マイク１５０に入力された注文の音声から、注文された商品と個数を認識して取得する。
ステップＳ１２３においてＣＰＵ１１０は、認識した結果に含まれる注文された商品と個数を登録し、伝票表示領域２３０に表示する。個数については、「人数分」や「全員分」、「１人１つ」などの音声から人数分の注文を認識した場合には、ＣＰＵ１１０は、客数表示領域２１０に示される人数を個数として登録して表示する。また、「１人２つずつ」と認識した場合には、ＣＰＵ１１０は、客数分の倍の個数を登録する。
【００３４】
≪注文登録処理の特徴≫
本実施形態の商品の個数（商品数、注文数）を入力するテンキーパッド２７０（図９参照）は、人数分ボタン２７３を備える。人数分ボタン２７３を用いることで、利用者はワンタッチの操作で、人数分の商品個数を入力することができる。人数分ボタン２７３で商品個数が入力可能になることで、客数を数えて入力する手間を削減することができる。このため、数え間違いによる入力間違いや数える間に顧客を待たせることを避けることができる。
【００３５】
テンキーパッド２７０（図９参照）における個数の入力において、数値入力の場合に、利用者は数値のキーとＯＫボタン２７２をタップするが、人数分の入力場合は、人数分ボタン２７３のタップのみでＯＫボタン２７２のタップを不要としてもよい。このような入力手順を受け付けることにより、ＣＰＵ１１０は、数値入力では利用者が数値を確認した後の受け付け、人数分入力では入力後即座の受け付けが可能となる。
【００３６】
≪変形例１：テンキーパッドの変形例≫
図１１は、本実施形態の変形例１に係るテンキーパッドを示す図である。図１１（ａ）に示したテンキーパッド２７０Ａは、プラスボタン２７４およびマイナスボタン２７５を備える。プラスボタン２７４がタップされると、個数が１つ増える。マイナスボタン２７５がタップされると個数が１つ減る。
【００３７】
テンキーパッド２７０Ａがプラスボタン２７４およびマイナスボタン２７５を備えることで、人数分丁度ではないが、人数分前後の個数の入力が容易になる。例えば、顧客の１人がウーロン茶を注文し、残りが大ジョッキを注文した場合、大ジョッキの個数入力については、人数分ボタン２７３をタップした後にマイナスボタン２７５をタップすることで個数の入力可能となる。
【００３８】
図１１（ｂ）は、グレーアウトした人数分ボタン２７３Ａを配置したテンキーパッド２７０Ｂを示す図である。客数が未登録のまま、テンキーパッド２７０Ｂが表示された場合には、ＣＰＵ１１０は、人数分ボタン２７３Ａをグレーアウトして表示して、使えない状態にするようにしてもよい。
【００３９】
グレーアウトした人数分ボタン２７３Ａを目にすることで、利用者は、客数が未登録であることに気がつくことができる。客数が未登録であることに気がついた利用者が、客数を登録すると、テンキーパッド２７０Ｂではなく、グレーアウトではない通常の人数分ボタン２７３を備えたテンキーパッド２７０Ａが表示されるようになり、利用者は人数分ボタン２７３をタップして人数分の商品個数を入力することができるようになる。
【００４０】
図１１（ｃ）は、客数と同じ数のキー（ボタン）が人数分ボタン２７３に置き換えられたテンキーパッド２７０Ｃを示す図である。客数が「８」と登録されているときには、ＣＰＵ１１０は、「８」のボタンに替わり人数分ボタン２７３をテンキーパッド２７０Ｃに配置する。利用者は人数分ボタン２７３をタップして個数として人数分の「８」を入力することができる。
【００４１】
≪変形例２：伝票表示領域に人数分ボタン≫
図１２は、本実施形態の変形例２に係る売上登録画面２００Ａを示す図である。変形例２では、人数分ボタン２３１が伝票表示領域２３０内の個数に隣接して配置される。商品が登録された後に、人数分ボタン２３１がタップされると、ＣＰＵ１１０は、個数を人数分の個数に変更する。
【００４２】
≪変形例３：個数入力のドロップダウンリスト≫
図１３は、本実施形態の変形例３に係る売上登録画面２００Ｂを示す図である。変形例３では、伝票表示領域２３０内の個数をタップすると、テンキーパッド２７０，２７０Ａ替わりにドロップダウンリスト２３２が表示される。ドロップダウンリスト２３２に含まれる数値または「人数分」がタップされると、ＣＰＵ１１０は、個数をタップされた個数または人数分の個数に変更する。下向き三角ボタン２３３がタップされると、ＣＰＵ１１０は、人数分より大きい個数を含めてドロップダウンリスト２３２を表示し、入力を受け付ける。
【００４３】
≪変形例４：画面構成が異なる売上登録画面≫
図１４は、本実施形態の変形例４に係る売上登録画面３００を示す図である。図１５および図１６と合わせて、本実施形態の売上登録画面２００とは異なる売上登録画面３００の画面構成を説明する。
売上登録画面３００の上部にはタイトル表示領域３０１が配置される。タイトル表示領域３０１には、画面タイトルおよび日時が表示される。
【００４４】
品数表示領域３２１には、登録済みの商品の数が表示される。合計金額表示領域３２２には、注文された商品の合計金額が表示される。内税表示領域３２３には、税金額が表示される。
テーブル番号表示領域３２４には、顧客が着席したテーブルの識別情報が表示される。客数表示領域３２５には、顧客の人数が表示される。担当者表示領域には３２６には、利用者名が表示される。
【００４５】
利用者が、商品表示ボタン３４１をタップすると、商品が表示される。
図１５は、本実施形態の変形例４に係る商品メニュー３４２が表示された売上登録画面３００Ａを示す図である。商品メニュー３４２の下側には、商品カテゴリ表示領域が配置されている。図１５に記載の商品カテゴリ表示領域には、「ＭＥＮＵ１」ボタンと「ＭＥＮＵ２」ボタンが表示されている。商品カテゴリ表示領域を左右にスワイプすることで、他の商品カテゴリのボタンが表示される。
【００４６】
商品カテゴリ表示領域より上側の商品メニュー３４２には、商品表示領域が配置されており、商品の一覧が表示される。図１５では、「ＭＥＮＵ１」ボタンが選択されており、「ＭＥＮＵ１」に属する商品が表示されている。商品表示領域を上下にスワイプすることで、「ＭＥＮＵ１」に属する他の商品が表示される。
【００４７】
商品表示領域に表示された商品のボタンがタップされると、個数が１として登録され、当該商品が後記する伝票表示領域３５０に表示される。
図１６は、本実施形態の変形例４に係る商品選択後の売上登録画面３００Ｂを示す図である。伝票表示領域３５０には、登録された商品の名称、個数および金額の一覧が表示される。個数に隣接して、プラスボタン３５１、マイナスボタン３５２および人数分ボタン３５３が配置される。プラスボタン３５１がタップされると、個数が１つ増える。マイナスボタン３５２がタップされると個数が１つ減る。人数分ボタン３５３がタップされると、客数表示領域３２５に表示された人数分の個数が登録されて表示される。
【００４８】
≪変形例５：注文登録と並行した客数登録≫
上記した実施形態および変形例では、客数登録後に注文登録を行っていた。客数登録と注文登録を並行して行うようにしてもよい。
図１７は、本実施形態の変形例５に係るテンキーパッド２７０Ｄを示す図である。人数分ボタン２７３（図１１（ａ）参照）に替わり、人数登録ボタン２７６が配置されている。ＣＰＵ１１０は、客数が未登録のまま、テンキーパッド２７０Ｄが表示された場合には、人数分ボタン２７３に替えて人数登録ボタン２７６を配置する。
【００４９】
利用者が客数に等しい個数を入力した時点で人数登録ボタン２７６をタップすると、ＣＰＵ１１０は、入力された数値を個数および客数として登録し、人数登録ボタン２７６に替えて人数分ボタン２７３を表示する。また、ＣＰＵ１１０は、客数表示領域２１０に客数を表示するようにする。以降の個数の登録時には、テンキーパッド２７０Ｄではなくテンキーパッド２７０Ａが表示される。
【００５０】
個数を登録するときに客数が未登録であることに気がついた場合、利用者は、人数登録ボタン２７６を用いて即座に客数を登録することができる。
テンキーパッド２７０Ｄにおいて、個数を入力され人数登録ボタン２７６がタップされると、ＣＰＵ１１０は、入力された数値を個数および客数として登録し、テンキーパッド２７０Ｄを閉じてもよい。このようにすることで、利用者はより速く、次の入力を行うことができる。
≪変形例６：大人分・小人分ボタン≫
上記した実施形態および変形例では、人数分ボタンをタップすれば、客数分の商品を登録することができる。客数分とは別に、大人の客数分や小人の客数分の商品を登録するボタンを設けてもよい。
【００５１】
図１８は、本実施形態の変形例６に係る売上登録画面３００Ｃを示す図である。図１６の売上登録画面３００Ｂと比較して、客数表示領域３２５の下に大人客数表示領域３２７および小人客数表示領域３２８が配置される。また、伝票表示領域３５０の人数分ボタン３５３の右に大人分ボタン３５４および小人分ボタン３５５が配置される。
【００５２】
利用者は、客数登録時に大人の客数と小人の客数をそれぞれ登録する。客数表示領域３２５には、大人の客数と小人の客数との合計値が表示される。大人分または小人分の注文があった場合には、利用者は大人分ボタン３５４または小人分ボタン３５５をタップすることで、当該人数分の個数を登録することができる。
【００５３】
電子レジスタが大人分ボタン３５４や小人分ボタン３５５を備えることで、大人や小人を数えて入力する手間を削減することができる。このため、数え間違いによる入力間違いや数える間に顧客を待たせることを避けることができる。
電子レジスタは、大人と小人の替わりに、男性と女性の客数が登録され、男性分ボタンと女性分ボタンとを備えるようにしてもよい。男性分ボタンや女性分ボタンがタップされて当該人数分の個数が登録できるようにしてもよい。
【００５４】
≪変形例７：ネットワーク経由で客数を取得≫
上記した実施形態および変形例では、電子レジスタ１００本体で客数を登録している。ネットワーク経由で客数を取得するようにしてもよい。
図１９は、本実施形態の変形例７に係る電子レジスタ１００Ａを含む注文登録システム４００の全体構成を示す図である。注文登録システム４００は、サーバ４１０、携帯端末４９０および電子レジスタ１００Ａを含んで構成される。サーバ４１０、携帯端末４９０および電子レジスタ１００Ａは、ネットワーク４８０で接続される。
【００５５】
サーバ４１０は、客が利用するスマートフォンなどの携帯端末４９０からの来店の予約を受け付けて、予約情報データベース４３０に格納する。予約情報データベース４３０は、来店日時、顧客名、人数の他に、喫煙席または禁煙席の希望、テーブル、料理などの情報を記憶する。電子レジスタ１００Ａの構成は電子レジスタ１００（図１参照）と同様であり、ネットワーク４８０経由で予約情報を取得する。
【００５６】
図２０は、本実施形態の変形例７に係る予約情報画面５００の画面構成図である。利用者から予約情報の表示を指示されると、ＣＰＵ１１０は、サーバ４１０から予約情報を取得して予約情報画面５００を表示する。
予約情報画面５００の上部にはタイトル表示領域５０１が配置される。タイトル表示領域５０１には、電子レジスタ１００Ａの利用者名、画面タイトルおよび日時が表示される。予約情報表示領域５１０には、来店時刻、顧客名、人数、喫煙席または禁煙席の希望、料理などの予約情報が表示される。
【００５７】
予約客が来店すると、店員である電子レジスタ１００Ａの利用者は、予約情報画面５００を表示して、来店客のレコードをタップする。ＣＰＵ１１０は、タップされたレコードの人数を客数として登録して、売上登録画面２００（図５参照）を表示する。
【００５８】
変形例７では、利用者（店員）が客数を入力するのではなく、予約情報を取得し、予約情報に含まれる人数から客数を取得している。このようにすることで、利用者が客数を数える手間を減らし、数え間違いによる誤入力を防ぐことができる。
【００５９】
変形例７では、サーバ４１０はネットワーク上に設置され、予約を受け付けている。ネットワーク上のサーバ４１０に限定する必要はなく、店頭に設置された席待ちを受け付ける端末をサーバとしてもよい。この場合、来店客は、携帯端末ではなく、端末から直接に名前や人数を登録して、席待ちを申し込む。
【００６０】
≪変形例８：注文登録内容から客数を取得≫
変形例７では、電子レジスタ１００Ａは、予約情報ないしは席待ち受け付け情報から客数を取得した。電子レジスタ１００は、注文登録内容から客数を取得してもよい。
図２１は、本実施形態の変形例８に係る個数登録処理のフローチャートである。この処理は、ステップＳ１１８〜Ｓ１２０（図４参照）に替わる処理である。
【００６１】
ステップＳ１３１〜Ｓ１３３は、ステップＳ１１８〜Ｓ１２０と同様の処理である。
ステップＳ１３４においてＣＰＵ１１０は、ステップＳ１３３で個数を登録した商品がお通しであって、かつ客数が未登録であるならば（ステップＳ１３４→Ｙ）ステップＳ１３５に進み、商品がお通しでない、または客数が登録済みならば（ステップＳ１３４→Ｎ）本処理を終える。
ステップＳ１３５においてＣＰＵ１１０は、ステップＳ１３３で登録した個数を客数として登録する。また、ＣＰＵ１１０は、客数表示領域２１０に客数を表示するようにする。
【００６２】
本変形例では、利用者が客数の登録を忘れていても、お通しのような客数分注文される商品の登録に連携して、客数が登録される。以降の注文登録からは、人数分ボタンが利用できるようになる。なお、客数登録の契機となる商品はお通しに限らず、お茶やお冷などの飲料、および、ナプキンやグラス、箸、ナイフとフォークのセットなどであるテーブルウェアのように、電子レジスタ１００に登録して客数分配膳するものであってもよい。
【００６３】
≪変形例９：テーブルの席数≫
変形例７では予約情報から、変形例８では注文登録内容から、客数を取得して登録している。電子レジスタ１００は、人数分ボタンがタップされたときに、テーブルの席数を個数として登録するようにしてもよい。ないしは、電子レジスタ１００は、人数分ボタンがタップされたときに、客数が登録されていれば客数を個数として登録し、客数が登録されていなければテーブルの席数を個数として登録するようにしてもよい。
【００６４】
また、電子レジスタ１００は、人数分ボタンに替えて席数分ボタンを備えるようにしてもよい。電子レジスタ１００は、各テーブルの席数を記憶しており、席数分ボタンがタップされると、登録されているテーブル（図５のテーブル番号表示領域２１１を参照）の席数分の個数が登録される。電子レジスタ１００は、人数分ボタンと席数分ボタンの双方を備えてもよい。
【００６５】
≪その他変形例≫
本実施形態で例示する注文登録システムにおけるサーバ側と電子レジスタ側の機能分散の形態は上記した形態に限られず、同様の効果や機能を奏し得る範囲において、任意の単位で機能的または物理的に分散・統合して構成することができる。
【００６６】
なお、本明細書において、プログラムを記述するステップは、その順序に沿って時系列的に行われる処理はもちろん、必ずしも時系列的に処理されなくとも、並列的あるいは個別に実行される処理をも含むものである。
【００６７】
以上、本発明のいくつかの実施形態について説明したが、これらの実施形態は、例示に過ぎず、本発明の技術的範囲を限定するものではない。本発明はその他の様々な実施形態を取ることが可能であり、さらに、本発明の要旨を逸脱しない範囲で、省略や置換等種々の変更を行うことができる。これら実施形態やその変形は、本明細書等に記載された発明の範囲や要旨に含まれるとともに、特許請求の範囲に記載された発明とその均等の範囲に含まれる。
【００６８】
以下に、この出願の願書に最初に添付した特許請求の範囲に記載した発明を付記する。付記に記載した請求項の項番は、この出願の願書に最初に添付した特許請求の範囲のとおりである。
【００６９】
≪付記≫
《請求項１》
一取引に係る顧客の人数を登録する人数登録手段と、
顧客により注文された商品を登録する商品登録手段と、
前記商品登録手段により登録された商品について所定の注文数を入力するボタンであって、前記人数登録手段により登録された顧客の人数と同じ数が前記所定の注文数として設定される人数分ボタンを表示部に表示させる表示制御手段と、
を備えることを特徴とする注文登録装置。
《請求項２》
一取引に係る顧客の人数を登録する人数登録手段と、
顧客により注文された商品を登録する商品登録手段と、
前記商品登録手段により登録された商品の注文数を入力するための個数入力ボタンを表示部に表示させる表示制御手段と、
を備え、
前記表示制御手段は、前記人数登録手段により顧客の人数が登録された際には、前記個数入力ボタンとして、当該顧客の人数と同じ数を前記商品の注文数として入力するための人数分ボタンを表示させる、
ことを特徴とする注文登録装置。
《請求項３》
前記表示制御手段は、前記人数登録手段により顧客の人数が登録されていない際には操作不可の空ボタンを表示させる一方で、前記人数登録手段により顧客の人数が登録された際には前記空ボタンに替えて前記人数分ボタンを表示させる、
ことを特徴とする請求項１または２に記載の注文登録装置。
《請求項４》
前記表示制御手段は、前記空ボタンと対応付けて、前記人数登録手段により顧客の人数が登録されたならば当該空ボタンが前記人数分ボタンに切り替わる旨を明示する情報を表示させる、
ことを特徴とする請求項３に記載の注文登録装置。
《請求項５》
前記表示制御手段は、前記人数登録手段により顧客の人数が登録されていない際には当該顧客の人数を登録するための人数登録ボタンを表示させる一方で、前記人数登録手段により顧客の人数が登録された際には前記人数登録ボタンに替えて前記人数分ボタンを表示させる、
ことを特徴とする請求項１または２に記載の注文登録装置。
《請求項６》
前記表示制御手段は、予め定められた数値を入力可能な定数入力ボタンを表示させるとともに、前記人数分ボタンを当該定数入力ボタンと並べて表示させる、
ことを特徴とする請求項１から５の何れか一項に記載の注文登録装置。
《請求項７》
前記人数登録手段は、一取引に係る顧客の人数を少なくとも２以上のグループに分類して登録し、
前記表示制御手段は、前記グループの各々に係る前記人数分ボタンを表示させる、
ことを特徴とする請求項１から６の何れか一項に記載の注文登録装置。
《請求項８》
前記人数登録手段は、前記顧客の識別情報および人数を含む予約情報を記憶するコンピュータから、前記顧客の人数を取得して登録する、
ことを特徴とする請求項１から７の何れか一項に記載の注文登録装置。
《請求項９》
前記人数登録手段は、前記商品登録手段により特定商品が登録された際に、当該特定商品の注文数を前記顧客の人数として登録する、
ことを特徴とする請求項１から８の何れか一項に記載の注文登録装置。
《請求項１０》
一取引に係る顧客の人数を登録する人数登録手段と、
顧客により注文された商品を登録する商品登録手段と、
前記商品登録手段により登録された商品の注文数を所定の数値入力操作を受け付けることにより登録する注文数登録手段と、
を備え、
前記注文数登録手段は、前記数値入力操作とは異なる特定入力操作を受け付けた際に、前記人数登録手段により登録された顧客の人数と同じ数を前記商品の注文数として登録する、
ことを特徴とする注文登録装置。
《請求項１１》
コンピュータを、
一取引に係る顧客の人数を登録する人数登録手段、
顧客により注文された商品を登録する商品登録手段、
前記商品登録手段により登録された商品について所定の注文数を入力するボタンであって、前記人数登録手段により登録された顧客の人数と同じ数が前記所定の注文数として設定される人数分ボタンを表示部に表示させる表示制御手段、
として機能させることを特徴とするプログラム。
《請求項１２》
コンピュータを、
一取引に係る顧客の人数を登録する人数登録手段、
顧客により注文された商品を登録する商品登録手段、
前記商品登録手段により登録された商品の注文数を入力するための個数入力ボタンを表示部に表示させる表示制御手段、
として機能させ、
前記表示制御手段は、前記人数登録手段により顧客の人数が登録された際には、前記個数入力ボタンとして、当該顧客の人数と同じ数を前記商品の注文数として入力するための人数分ボタンを表示させる、
ことを特徴とするプログラム。
《請求項１３》
コンピュータを、
一取引に係る顧客の人数を登録する人数登録手段、
顧客により注文された商品を登録する商品登録手段、
前記商品登録手段により登録された商品の注文数を所定の数値入力操作を受け付けることにより登録する注文数登録手段、
として機能させ、
前記注文数登録手段は、前記数値入力操作とは異なる特定入力操作を受け付けた際に、前記人数登録手段により登録された顧客の人数と同じ数を前記商品の注文数として登録する、
ことを特徴とするプログラム。
【符号の説明】
【００７０】
１００，１００Ａ  電子レジスタ（注文登録装置）
１１０  ＣＰＵ（人数登録手段、商品登録手段、音声認識部、表示制御手段、注文数登録手段）
１２９  電子レジスタプログラム
１５０  マイク（音声入力部）
２００，２００Ａ  売上登録画面
２３０  伝票表示領域
２３１  人数分ボタン
２３２  ドロップダウンリスト（商品の数を選択するメニュー）
２４０  テンキー（人数登録手段）
２５０  商品表示領域（商品登録手段としての商品のボタンが表示される領域）
２６０  商品カテゴリ表示領域
２７０，２７０Ａ，２７０Ｂ，２７０Ｃ，２７０Ｄ  テンキーパッド（個数入力ボタン、定数入力ボタン、注文数登録手段）
２７３  人数分ボタン
２７３Ａ  人数分ボタン（空ボタン）
２７４  プラスボタン
２７５  マイナスボタン
２７６  人数登録ボタン
３５０  伝票表示領域
３５１  プラスボタン
３５２  マイナスボタン
３５３  人数分ボタン
４１０  サーバ
【図１】
2020098434.tif 000003
【図２】
2020098434.tif 000004
【図３】
2020098434.tif 000005
【図４】
2020098434.tif 000006
【図５】
2020098434.tif 000007
【図６】
2020098434.tif 000008
【図７】
2020098434.tif 000009
【図８】
2020098434.tif 000010
【図９】
2020098434.tif 000011
【図１０】
2020098434.tif 000012
【図１１】
2020098434.tif 000013
【図１２】
2020098434.tif 000014
【図１３】
2020098434.tif 000015
【図１４】
2020098434.tif 000016
【図１５】
2020098434.tif 000017
【図１６】
2020098434.tif 000018
【図１７】
2020098434.tif 000019
【図１８】
2020098434.tif 000020
【図１９】
2020098434.tif 000021
【図２０】
2020098434.tif 000022
【図２１】
2020098434.tif 000023